(57)【特許請求の範囲】
【請求項１】
庫本体の正面開口部を開閉する開閉扉の縁部に設けたドアパッキンに近接して配設したヒータを備え、同ヒータの発熱作用により前記ドアパッキンの凍結および結露を防止する冷蔵庫において、前記開閉扉に、前記ヒータを外部電源に接続するためのリード線が挿通される筒状の挿通部と、前記挿通部に連通し前記リード線の一部および同リード線と前記ヒータの接続部位を収納する収納部を設けたことを特徴とする冷蔵庫。
【請求項２】
請求項１に記載の冷蔵庫において、前記収納部には前記挿通部の開口部が連結していることを特徴とする冷蔵庫。
【請求項３】
請求項１または２に記載の冷蔵庫において、前記挿通部は前記リード線が挿通される挿通管にて構成されていて、前記開閉扉を構成するインナパネルとアウタパネル間の断熱材の収容空間部に埋設されていることを特徴とする冷蔵庫。
【請求項４】
請求項３に記載の冷蔵庫において、前記挿通管は各端部を、前記開閉扉に取付けられて前記収容空間部の内外に延びる接続管にそれぞれ嵌着されていることを特徴とする冷蔵庫。
【請求項５】
請求項４に記載の冷蔵庫において、前記両接続管は合成樹脂製のものであることを特徴とする冷蔵庫。
【請求項６】
請求項５に記載の冷蔵庫において、前記リード線の挿入側の接続管は、前記開閉扉側に設けた合成樹脂製の連結管を介して前記開閉扉に取付けられていて、同連結管と前記接続管とは挿入嵌合した状態で連結されていることを特徴とする冷蔵庫。
【請求項７】
請求項６に記載の冷蔵庫において、前記接続管の内部の挿通空間部は、前記連結管の内部の挿通空間部より大きく形成されていることを特徴とする冷蔵庫。
【請求項８】
請求項１に記載の冷蔵庫において、前記リード線の一部および同リード線と前記ヒータの接続部位を収納する前記収納部を前記ヒータに近接して位置させたことを特徴とする冷蔵庫。
【請求項９】
請求項１〜８のいずれか一項に記載の冷蔵庫は、正面開口部を有する庫本体と、同庫本体の正面開口部の各側縁部に基端部を前後方向へ回動可能に組付けられて同庫本体の正面開口部を開閉する左右一対の開閉扉と、これら各開閉扉における互いに対向する先端部側に設けられて同先端部に沿って上下方向に延びるマグネット付きのドアパッキンと、前記各開閉扉の先端部側にて前記ドアパッキンの近傍に設けられて同ドアパッキンの凍結および結露を防止するヒータを備え、前記両開閉扉の閉鎖時、前記両ドアパッキンの先端部の対向面を互いに密着させて前記両開閉扉の先端部間を気密的にシールする観音開き式の冷蔵庫に構成されていることを特徴とする冷蔵庫。
【発明の詳細な説明】
【０００１】
【発明の属する技術分野】
本発明は、ドアパッキンの凍結および結露を防止するためのヒータを備えた冷蔵庫に関する。
【０００２】
【従来の技術】
冷蔵庫の一形式として、庫本体の正面開口部を開閉する開閉扉の縁部に設けたドアパッキンに近接して配設したヒータを備え、同ヒータの発熱作用により前記ドアパッキンの凍結および結露を防止するように構成された冷蔵庫がある。例えば、特開昭５８−１５３０７２号公報には、左右の開閉扉に、各開閉扉のドアパッキンの凍結および結露を防止するためのヒータを備えた観音開き式の冷蔵庫が示されている。
【０００３】
【発明が解決しようとする課題】
ところで、この種形式の冷蔵庫において、開閉扉にドアパッキンの凍結および結露を防止するためのヒータを設ける場合には、同ヒータに接続されるリード線を開閉扉において如何に取り回しするかが問題であり、また、リード線が断線する等の故障をした場合のリード線の交換が問題である。さらには、リード線の取り回し如何によっては、開閉扉の組立にも関わってくる。従って、本発明の目的は、これらの問題に対処することにある。
【０００４】
【課題を解決するための手段】
本発明は冷蔵庫に関するもので、庫本体の正面開口部を開閉する開閉扉の縁部に設けたドアパッキンに近接して配設したヒータを備え、同ヒータの発熱作用により前記ドアパッキンの凍結および結露を防止する形式の冷蔵庫を適用対象とするものである。
【０００５】
しかして、本発明は上記した形式の冷蔵庫において、前記開閉扉に、前記ヒータを外部電源に接続するためのリード線が挿通される筒状の挿通部と、前記挿通部に連通し前記リード線の一部および同リード線と前記ヒータの接続部位を収納する収納部を設けたことを特徴とするものである。
【０００７】
本発明に係る冷蔵庫においては、前記挿通部を前記リード線が挿通される挿通管にて構成すること、同挿通管を前記開閉扉を構成するインナパネルとアウタパネル間の断熱材の収容空間部に埋設する構成とすること、同挿通管の各端部を前記開閉扉に取付けられて前記収容空間部の内外に延びる接続管にそれぞれ嵌着して取付ける構成とすることができる。
【０００８】
この場合、前記両接続管は合成樹脂製のものであること、前記リード線の挿入側の接続管は前記開閉扉側に設けた合成樹脂製の連結管を介して前記開閉扉に取付けられていて、同連結管と前記接続管とは挿入嵌合した状態で連結されていること、同接続管の内部の挿通空間部は前記連結管の内部の挿通空間部より大きく形成されていることが好ましい。
【０００９】
また、本発明に係る上記した各冷蔵庫においては、前記挿通部のヒータ側の開口部を前記収納部に連結する構成とすること、前記ヒータと前記リード線の接続部位を前記収納部に収納する構成とすること、前記ヒータと前記リード線の接続部位を収納する前記収納部を前記ヒータに近接して位置させる構成とすることができる。
【００１０】
本発明に係るこれらの冷蔵庫においては、正面開口部を有する庫本体と、同庫本体の正面開口部の各側縁部に基端部を前後方向へ回動可能に組付けられて同庫本体の正面開口部を開閉する左右一対の開閉扉と、これら各開閉扉における互いに対向する先端部側に設けられて同先端部に沿って上下方向に延びるマグネット付きのドアパッキンと、前記各開閉扉の先端部側にて前記ドアパッキンの近傍に設けられて同ドアパッキンの凍結および結露を防止するヒータを備えた構成として、前記両開閉扉の閉鎖時、前記両ドアパッキンの先端部の対向面を互いに密着させて前記両開閉扉の先端部間を気密的にシールする観音開き式の冷蔵庫とすることができる。
【００１１】
【発明の作用・効果】
本発明に係る冷蔵庫においては、開閉扉に、ヒータに接続されるリード線を挿通するための筒状の挿通部を設けているため、リード線の開閉扉における取り回しが良好になる。また、リード線が断線する等の故障が生じた場合には、リード線を挿通部から抜き出して交換することが可能であり、従来のごとく、リード線を開閉扉ごと交換する必要がなくて、低価格で交換することができる。
【００１２】
また、本発明に係る冷蔵庫においては、開閉扉に、ヒータに接続されるリード線の一部を収納するための収納部を設けているため、リード線の長さを一定にしなくても束ねた状態で収納部に収納することが可能であり、リード線の取り回し作業がし易く、かつ、開閉扉の組立てが容易になる。
【００１３】
本発明に係る冷蔵庫においては、挿通部のヒータ側の開口部をリード線の一部を収納するための収納部に連結するように構成し、ヒータとリード線の接続部位を収納部に収納するように構成すれば、ヒータとリード線の配設、その接続が容易であり、また、この収納部をヒータに近接して位置させるように構成すれば、収納部の内部での結露の発生を防止し得てヒータとリード線の接続部位からの漏電を確実に防止することができる。
【００１４】
また、本発明に係る冷蔵庫においては、前記挿通部をリード線が挿通される挿通管にて構成して、開閉扉を構成するインナパネルとアウタパネル間の断熱材の収容空間部に埋設すること、前記挿通管の各端部を開閉扉に取付けられて収容空間部の内外に延びる合成樹脂製の接続管にそれぞれ嵌着するように構成することができる。
【００１５】
かかる構成によれば、リード線が挿通される挿通管の各端部は開閉扉に取付けられて収容空間部の内外に延びる接続管にそれぞれ嵌着する構成のため、挿通管の各接続管への連結をネジ等の固定部材を使用することなく行え、さらには、各接続管自体も開閉扉側へ嵌着して取付けることにより、各接続管の開閉扉側への取付けをネジ等の固定部材を使用することなく行える。
【００１６】
このため、開閉扉の組立が容易となり、その上、断熱材の成形時の発泡液に対する各接続管、挿通管等の目張りが不要であり、開閉扉の組立作業の一層の簡単化と組立時間の短縮を図ることができる。また、かかる構成によれば、リード線は挿通管および各接続管内で全く固定されることなく配線されることから、開閉扉の修理時等におけるリード線の脱着が容易である。
【００１７】
この場合、両接続管のうちのリード線の挿入側の接続管を、開閉扉側に設けた合成樹脂製の連結管を介して開閉扉に取付けて、この際連結管と接続管とは挿入嵌合した状態で連結する連結構造となるように構成することが好ましく、これにより、同接続管の連結管からの抜け防止が確実に行える。また、この場合、同接続管の内部の挿通空間部を連結管の内部の挿通空間部より大きく形成することが好ましく、これにより、リード線における開閉扉の回動支持部近傍での配線は、同接続管内の大きな挿通空間部にてなされることから、開閉扉の開閉動作時に生じるリード線のねじれが緩和されて局部的に集中することがなく、リード線の損傷や断線等の発生を防止することができる。
【００１８】
【発明の実施の形態】
以下、本発明を図面に基づいて説明すると、図１には、本発明に係る冷蔵庫の一例である観音開き式冷蔵庫が示されている。当該冷蔵庫は、図１および図８に示す正面開口部１１を有する庫本体１０と、庫本体１０の正面開口部１１の各側縁部に基端部を前後方向へ回動可能に組付けられて庫本体１０の正面開口部１１を開閉する上側の左右一対の開閉扉２０ａ、２０ｂと、下側の左右一対の開閉扉２０ｃ，２０ｄを備え、これらの４枚の開閉扉２０ａ〜２０ｄの開閉操作により、庫本体１０の正面開口部１１を開放し、かつ閉鎖し得るように構成されている。
【００１９】
上側の各開閉扉２０ａ，２０ｂは互に左右対称に、下側の各開閉扉２０ｃ，２０ｄは互に左右対称に、かつ、左側の各開閉扉２０ａ、２０ｃは互に上下対称に、右側の各開閉扉２０ｂ，２０ｄは互に上下対称に形成されている点を除き、全て同一構造に構成されている。従って、以下では、各開閉扉２０ａ〜２０ｄを総合して開閉扉２０としてその構成を説明し、各開閉扉２０ａ〜２０ｄ相互の関係については必要により説明する。
【００２０】
開閉扉２０は、図２および図３に示すように、扉本体２１の背面における周縁部に第１のドアパッキン２２が配設されているとともに、扉本体２１の背面における先端部側に第２のドアパッキン２３が配設されている。第１，第２のドアパッキン２２，２３は共に、ゴム製のパッキン本体にマグネットを内蔵させたのものである。
【００２１】
第１のドアパッキン２２はコ字状を呈していて、扉本体２１の背面にてその基端部側から上端部側および下端部側に延びて、扉本体２１の背面における先端部側の上下各端部に達している。第２のドアパッキン２３は、上下方向に延びる直線状のもので、後述する支持部材２４に支持された状態で配設されて、扉本体２１の背面における先端部側にて第１のドアパッキン２２の上下各端部に達している。
【００２２】
これにより、開閉扉２０の閉鎖時には、第１のドアパッキン２２は庫本体１０の正面開口部１１の周縁部に当接し、左右の両開閉扉２０ａ，２０ｂ、および両開閉扉２０ｃ，２０ｄの閉鎖時には、第１のドアパッキン２２は庫本体１０の正面開口部１１の周縁部に密着するとともに、両開閉扉２０ａ，２０ｂ、および両開閉扉２０ｃ，２０ｄの第２のドアパッキン２３が互いに密着して、両開閉扉２０ａ，２０ｂ、および両開閉扉２０ｃ，２０ｄ間をシールする。
【００２３】
第２のドアパッキン２３は、図４および図５に示すように、支持部材２４に支持されていて、支持部材２４を介して開閉扉２０に取付けられている。第２のドアパッキン２３（以下、単にドアパッキン２３ということがある）は、筒部２３ａ、平板状の脚部２３ｂ、およびこれらを連結する連結部２３ｃを有する長尺のゴム製のパッキン本体と、所定長さで角柱状のマグネット２３ｄからなるもので、扉本体２１の先端部における背面側に固定した支持部材２４の先端側に組付けられている。
【００２４】
マグネット２３ｄは、筒部２３ａ内にて上下方向に所定間隔を保持して埋設されていて、パッキン本体の筒部２３ａにおける対向面側の前部に位置させている。マグネット２３ｄにおいては、左右の両開閉扉２０ａ，２０ｂ、および両開閉扉２０ｃ，２０ｄ間では極性を逆に配置されている。
【００２５】
ドアパッキン２３の筒部２３ａは、マグネット２３ｄの埋設部位を除く部位が中空状を呈しており、また、脚部２３ｂは肉厚で硬く形成されている。連結部２３ｃは中空状を呈しているもので、筒部２３ａと脚部２３ｂを互いに連結している。ドアパッキン２３は、支持部材２４に組付けられた状態では、対向面方向に伸縮可能となっている。
【００２６】
支持部材２４は合成樹脂製のもので、開閉扉２０の先端部に埋設されているホルダー２５、およびピラーカバー２６を通して図示しない固定部材に螺着することにより、開閉扉２０に取付けられている。これにより、ドアパッキン２３は支持部材２４を介して開閉扉２０ａ，２０ｂの先端部側の背部に取付けられて、筒部２３ａを先端側に露呈させている。筒部２３ａは、この状態で、その後部を支持部材２４のカバー体２４ａにより覆蓋され、かつ、その前部をピラーカバー２６の先端部２６ａにて覆蓋されている。ピラーカバー２６は金属製のものであり、ヒータ２７ａがピラーカバー２６に接触して埋設されている。
【００２７】
これにより、支持部材２４は扉本体２１に取付けられ、この状態で、第２のドアパッキン２３の上端部が支持部材２４の上端部から所定量上方へ突出し、かつ、同ドアパッキン２３の下端部が支持部材２４の下端部から所定量下方へ突出している。
【００２８】
扉本体２１の背面に取付けられている第１のドアパッキン２２の各先端部には、支承部材２２ａ，２２ｂが固着されていて、各支承部材２２ａ，２２ｂが第２のドアパッキン２３の上下各端部に嵌合して、同ドアパッキン２３を上下から支承している。各支承部材２２ａ，２２ｂは合成樹脂からなる可撓性のもので、例えば、上側の支承部材２２ａの頂部を持ち上げて撓ませれば、支承部材２２ａを第２のドアパッキン２３の上端部から離脱させることができて、同ドアパッキン２３を支持部材２４から引き抜くことができる。
【００２９】
このように構成した観音開き式冷蔵庫においては、全ての開閉扉２０ａ〜２０ｄを閉鎖した状態では、各開閉扉２０ａ〜２０ｄの背面に設けた第１のドアパッキン２２が庫本体１０の正面開口部１１の周縁部に密着するとともに、上側の両開閉扉２０ａ，２０ｂに設けた第２のドアパッキン２３同士、および下側の両開閉扉２０ｃ，２０ｄに設けた第２のドアパッキン２３同士がその先端部の対向面にて密着し、庫本体１０の正面開口部１１を密閉する。
【００３０】
図４は、左右の両開閉扉２０ａ，２０ｂを閉鎖した場合の両開閉扉２０ａ，２０ｂ間のシール状態を示すもので、この閉鎖状態においては、両開閉扉２０ａ，２０ｂに設けた第２の各ドアパッキン２３は、ピラーカバー２６の先端部２６ａと支持部材２４のカバー体２４ａとにより、それらの前側および後側を覆蓋されており、ヒータ２７ａからピラーカバー２６を介して伝達される熱により、凍結および結露を防止されている。また、両開閉扉２０ａ，２０ｂの第２のドアパッキン２３はその対向面にて互いに密着し、かつ、上下各端部を各支承部材２２ａ，２２ｂと嵌合して、庫本体１０の正面開口部１１からの冷気の漏洩を防止している。なお、下側の左右の両開閉扉２０ｃ，２０ｄの閉鎖状態も同様である。
【００３１】
図５は、左側の開閉扉２０ａを閉鎖した後に、右側の開閉扉２０ｂを閉鎖しようとする場合を示している。開閉扉２０ｂが後方（背面側）へ回動されて、開閉扉２０ｂに設けた第２のドアパッキン２３が開閉扉２０ａに設けた第２のドアパッキン２３に近接すると、両ドアパッキン２３の両マグネット２３ｄのＮ極−Ｎ極が対向して反発し合うが、開閉扉２０ｂが完全に閉鎖された状態では、両マグネット２３ｄのＮ極−Ｓ極が引き合ってその対向面にて互いに密着し、庫本体１０は図４に示すように密閉される。
【００３２】
このように、当該観音開き式冷蔵庫においては、全ての開閉扉２０ａ〜２０ｄを閉鎖することにより、庫本体１０を密閉状態に確実に閉鎖することができるとともに、各ドアパッキン２３の凍結、結露を防止し、かつ、外部から庫本体１０内への熱の侵入、および庫本体１０内からの冷気の外部への漏洩を防止することができる。
【００３３】
しかして、開閉扉２０には、図６に示すように、扉本体２１を構成するアウタパネル２１ａの裏面側に支持部材２４、ピラーカバー２６を固定するブラケット２８が固定されている。ブラケット２８は扉本体２１の先端部側に位置し、図６および図７に示すように、ブラケット本体２８ａの上下方向の略中央部がボックス２８ｂに形成されていて、ボックス２８ｂの中央の側部には筒状の連結部２８ｃが形成されている。ブラケット２８においては、その裏側面にヒータ２７ａが貼着されたフレーム２１ｂが固定され、その裏側面に断熱材２１ｃを挟んで支持部材２４が固定される。
【００３４】
また、扉本体２１の基端部側の上端部には、連結部２８ｃと同じ連結部２１ｄが固定されており、これら両連結部２１ｄ，２８ｃには所定の長さのパイプ２９が連結されている。パイプ２９は、ヒータ２７ａに接続されるリード線２７ｂを挿通する挿通部を構成し、かつ、ブラケット２８のボックス２８ｂはリード線２７ｂの収容部を構成している。
【００３５】
なお、以上の構成は、上側の左右の開閉扉２０ａ，２０ｂ間、下側の左右の開閉扉２０ｃ，２０ｄ間では左右対称に、右側の上下の開閉扉２０ａ，２０ｃ間、左側の上下の開閉扉２０ｂ，２０ｄ間では上下対称に構成されている。
【００３６】
リード線２７ｂは、庫本体１０側から連結部２１ｄ内、パイプ２９内、および連結部２８ｃ内を通ってボックス２８ｂ内に達していて、ボックス２８ｂ内にてヒータ２７ａの各端部にカシメ手段２７ｃを介して接続されている。ボックス２８ｂの背面には、ヒータ２７ａが位置している。
【００３７】
一方、庫本体１０の側壁部には、図８に示すようにパイプ２９と同様のパイプ１２が埋設されていて、同パイプ１２内にリード線２７ｂが挿通されており、庫本体１０の上方の左右隅部、下方の左右隅部から導出されている。導出されたリード線２７ｂは、各開閉扉２０ａ，２０ｂ，２０ｂ，２０ｄに設けたパイプ２８を通ってボックス２８ｂ内に達していて、カシメ手段２７ｃにてヒータ２７ａに接続されている。
【００３８】
開閉扉２０は、庫本体１０に対してドアヒンジ１３を介して回動可能に取付けられているが、ドアヒンジ１３を構成するヒンジピンは筒状を呈していて、庫本体１０側のパイプ１２から導出されたリード線２７ｂは、ヒンジピン内を通して開閉扉２０側のパイプ２９に導入されている。
【００３９】
図９は、下側の開閉扉２０ｄの下端部の庫本体１０への取付け状態を示すもので、ドアヒンジ１３のヒンジ本体１３ａは庫本体１０に固定されていて、ヒンジ本体１３ａに設けられているヒンジピン１３ｂにより開閉扉２０が回動可能に支持されており、リード線２７ｂはパイプ１２およびヒンジピン１３ｂから導出されている部位にてコネクタ２７ｄを介して互いに接続されている。
【００４０】
このように構成した観音開き式冷蔵庫においては、開閉扉２０に、ヒータ２７ａに接続されるリード線２７ｂを挿通するための挿通部であるパイプ２９を設けているため、リード線２７ｂの開閉扉２０での取り回し作業が良好になる。また、リード線２７ｂが断線する等の故障が生じた場合には、リード線２７ｂをパイプ２９から抜き出して交換が可能であり、従来のごとく、リード線を開閉扉ごと交換する必要がなくて、低価格で交換することができる。
【００４１】
また、当該冷蔵庫においては、開閉扉２０に、ヒータ２７ａに接続されるリード線２７ｂの一部を収納するためのボックス２８ｂを設けているため、リード線２７ｂの長さを一定にしなくても束ねた状態でボックス２８ｂに収納が可能であり、リード線２７ｂの取り回し作業がし易く、かつ、開閉扉２０の組立てが容易になる。
【００４２】
また、当該冷蔵庫においては、パイプ２９のヒータ２７ａ側の開口部をボックス２８ｂに連結し、ヒータ２７ａとリード線２７ｂの接続部位をボックス２８ｂ内に収納しているため、ヒータ２７ａとリード線２７ｂの配設、その接続が容易であり、さらには、ボックス２８ｂの背面にヒータ２７ａを位置させているため、ボックス２８ｂの内部での結露の発生を防止し得て、ヒータ２７ａとリード線２７ｂの接続部位からの漏電を確実に防止することができる。
【００４３】
図１０には、他の観音開き式冷蔵庫を構成する開閉扉３０が示されている。図１０は開閉扉３０の背面図であって、基本的には開閉扉２０と同様に構成されており、リード線の挿通部であるパイプの配設構造の点で開閉扉２０とは相違する。従って、開閉扉３０については、リード線の挿通部であるパイプの配設構造について主として説明し、その他の構成については、開閉扉２０と同一または類似の構成部材、構成部位については、３０番台の類似の符号を付してその説明を省略する。
【００４４】
開閉扉３０は、図１０〜図１２に示すように、扉本体３１、第１のドアパッキン３２、第２のドアパッキン３３、支持部材３４、図示しないホルダーおよびピラカバー、ヒータ３７ａ、リード線３７ｂ、リード線３７ｂの挿通部であるパイプ３９等を備えている。扉本体３１は、アウタパネル３１ａとインナパネル３１ｂとからなり、パイプ３９は、アウタパネル３１ａの背面側にて第１接続管３８ａおよび第２接続管３８ｂを介して配設されて、両パネル３１ａ，３１ｂが形成する発泡樹脂からなる断熱材の収容空間部Ｒに埋設されている。
【００４５】
第１接続管３８ａは、アウタパネル３１ａの背面側の隅部に設けたブラケット３１ｃに連結管３８ｃを介して連結されている。連結管３８ｃは合成樹脂製のもので、図１３に示すように、連結筒部３８ｃ1と、その先端部に設けた外向フランジ部３８ｃ2からなるもので、連結筒部３８ｃ1内には２本の挿通孔部３８ｃ3が形成されている。ブラケット３１ｃは、図１４に示すように、平面三角形状で側面長方形状のもので、側壁部３１ｃ1には嵌合孔３１ｃ2が形成されており、この嵌合孔３１ｃ2に連結管３８ｃが挿入されて嵌合している。連結管３８ｃにおいては、この嵌合状態では、連結筒部３８ｃ1の後端側が断熱材の収容空間部Ｒ内に臨むとともに、その先端側の開口部が扉本体３１の上面壁部の外側面に位置している。
【００４６】
第１接続管３８ａは合成樹脂製のもので、図１５に示すように、一端側が長円形筒部３８ａ1で他端側が円形筒部３８ａ2に形成されている筒体であり、長円形筒部３８ａ1は、連結管３８ｃの連結筒部３８ｃ1に類似する形状に形成されている。第１接続管３８ａにおける長円形筒部３８ａ1の内孔は、連結管３８ｃの連結筒部３８ｃ1の外周よりわずかに大きく形成されていて、第１接続管３８ａの長円形筒部３８ａ1が連結管３８ｃに外嵌されている。第１接続管３８ａの円形筒部３８ａ2には、パイプ３９の一端が外嵌されている。このパイプ３９の他端は、アウタパネル３１ａの背面側の先端縁部に設けたブラケット３１ｄに第２接続管３８ｂを介して連結されている。
【００４７】
ブラケット３１ｄは、図１６に示す形状を呈するもので、そのブラケット本体３１ｄ1は上下の両脚部３１ｄ2にてアウタパネル３１ａの背面側に固着されて、その先端部にて上下方向に延びている。第２接続管３８ｂは合成樹脂製のもので、図１７に示すように、９０度屈曲する円筒部３８ｂ1と、屈曲部の先端に設けた掛止片部３８ｂ2からなり、掛止片部３８ｂ2にてブラケット３１ｄの中央部の凹部３１ｄ3に掛止されていて、円筒部３８ｂ1の先端側が断熱材の収容空間部Ｒ内に臨んでいる。この円筒部３８ｂ1の先端に、パイプ３９の他端が外嵌されている。
【００４８】
このように配設されているパイプ３９には、ヒータ３７ａを外部電源に接続するためのリード線３７ｂが挿通されている。リード線３７ｂにおいては、その一端側が連結管３８ｃから扉本体３１の外部へ延びて電源に接続され、かつ、その他端が第２接続管３８ｂから断熱材の収容空間部Ｒの外へ延びてヒータ３７ａに接続されている。
【００４９】
このような配設構造を採用した開閉扉３０においては、パイプ３９は、その各端部を各接続管３８ａ，３８ｂに嵌合することにより配設されているものであり、また、第１接続管３８ａは、扉本体３１のアウタパネル３１ａに設けたブラケット３１ｃに連結した連結管３８ｃに嵌合され、かつ、第２接続管３８ｂは、扉本体３１のアウタパネル３１ａに設けたブラケット３１ｄに掛止されているものである。
【００５０】
このため、パイプ３９の配設には、ネジ等の固定手段による取付け作業が全く不要であり、また、扉本体３１の両パネル３１ａ，３１ｂ間へ注入される発泡液に対するパイプ３９、各接続管３８ａ，３８ｂ、連結管３８ｃ等への目張りの作業が全く不要であって、開閉扉３０の組立作業を簡単化することができるとともに、作業時間を大幅に短縮することができる。
【００５１】
また、かかるパイプ３９の配設構造では、リード線３７ｂはパイプ３９および各接続管３８ａ，３８ｂ、連結管３８ｃ内で全く固定されることなく配線されることから、開閉扉３０の修理時等におけるリード線３７ｂの脱着が容易である。また、かかるパイプ３９の配設構造では、第１接続管３８ａの内部の挿通空間部が連結管３８ｃの内部の挿通空間部より大きく形成されているため、リード線３７ｂにおける扉本体３１の回動支持部近傍での配線は、第１接続管３８ａ内の大きな挿通空間部にてなされていることから、扉本体３１の開閉動作時に生じるリード線３７ｂのねじれが緩和されて局部的に集中することがなく、リード線３７ｂの損傷や断線等の発生を防止することができる。
【図面の簡単な説明】
【図１】本発明に係る冷蔵庫の一例である観音開き式冷蔵庫を示す正面図である。
【図２】同冷蔵庫を構成する開閉扉の一部切欠き背面図である。
【図３】同開閉扉の一部切欠き平面図である。
【図４】同冷蔵庫を構成する左右両開閉扉の閉鎖状態を示す部分横断面図である。
【図５】同両開閉扉の閉鎖直前の状態を示す部分横断面図である。
【図６】同冷蔵庫を構成するアウタパネルの内面図である。
【図７】同アウタパネルの背面側に取付けられるブラケットの部分側面図である。
【図８】同冷蔵庫を構成する庫本体の概略的斜視図である。
【図９】同冷蔵庫の庫本体に対する開閉扉の取付け状態を示す部分縦断面図である。
【図１０】本発明に係る冷蔵庫の他の一例である観音開き式冷蔵庫を構成する開閉扉の一部切欠き背面図である。
【図１１】同開閉扉を構成するインナパネルの外面側の正面図である。
【図１２】同開閉扉を構成するアウタパネルの内面側の正面図である。
【図１３】同アウタパネルに第１接続管を連結するための連結管の正面図（ａ）、同底面図（ｂ）、および同縦断面図（ｃ）である。
【図１４】同連結管を連結するためのブラケットの平面図（ａ）、および同側面図（ｂ）である。
【図１５】同アウタパネルにパイプを配設するための第１接続管の正面図（ａ）、同側面（ｂ）、および同底面図（ｃ）である。
【図１６】同アウタパネルに第２接続管を連結するためのブラケットの側面図（ａ）、および同平面図（ｂ）である。
【図１７】同第２接続管の縦断面図である。
【符号の説明】
１０…庫本体、１１…正面開口部、１２…パイプ、１３…ドアヒンジ、１３ａ…ヒンジ本体、１３ｂ…ヒンジピン、２０（２０ａ，２０ｂ，２０ｃ，２０ｄ）…開閉扉、２１…扉本体、２１ａ…アウタパネル、２１ｂ…フレーム、２１ｃ…断熱材、２１ｄ…連結部、２２…第１のドアパッキン、２２ａ，２２ｂ…各支承部材、２３…第２のドアパッキン、２３ａ…筒部、２３ｂ…脚部、２３ｃ…連結部、２３ｄ…マグネット、２４…支持部材、２４ａ…カバー体、２５…ホルダー、２６…ピラーカバー、２６ａ…先端部、２７ａ…ヒータ、２７ｂ…リード線、２７ｃ…カシメ手段、２７ｄ…コネクタ、２８…ブラケット、２８ａ…ブラケット本体、２８ｂ…ボックス、２８ｃ…連結部、２９…パイプ、３０…開閉扉、３１…扉本体、３１ａ…アウタパネル、３１ｂ…インナパネル、３１ｃ…ブラケット、３１ｃ1…側壁部、３１ｃ2…嵌合孔、３１ｄ…ブラケット、３１ｄ1…ブラケット本体、３１ｄ2…脚部、３１ｄ3…凹部、３２…第１のドアパッキン、３３…第２のドアパッキン、３４…支持部材、３７ａ…ヒータ、３７ｂ…リード線、３８ａ…第１接続管、３８ａ1…長円形筒部、３８ａ2…円形筒部、３８ｂ…第２接続管、３８ｂ1…円筒部、３８ｂ2…掛止片部、３８ｃ…連結管、３８ｃ1…連結筒部、３８ｃ2…外向フランジ部、３８ｃ3…挿通孔部、３９…パイプ、Ｒ…収容空間部。
【図１】
0003706260.tif 000002
【図２】
0003706260.tif 000003
【図３】
0003706260.tif 000004
【図４】
0003706260.tif 000005
【図５】
0003706260.tif 000006
【図６】
0003706260.tif 000007
【図７】
0003706260.tif 000008
【図８】
0003706260.tif 000009
【図９】
0003706260.tif 000010
【図１０】
0003706260.tif 000011
【図１１】
0003706260.tif 000012
【図１２】
0003706260.tif 000013
【図１３】
0003706260.tif 000014
【図１４】
0003706260.tif 000015
【図１５】
0003706260.tif 000016
【図１６】
0003706260.tif 000017
【図１７】
0003706260.tif 000018